(57)【特許請求の範囲】
【請求項１】
複数の電流信号を増幅し複数の電圧信号へ変換するための装置であって、
前記複数の電流信号を増幅し、複数の第１の増幅した電流信号を得るための第１の増幅手段と、
前記第１の増幅した電流信号を増幅し、前記電圧信号を得るための第２の増幅手段と、
前記第１の増幅手段と前記第２の増幅手段とを接続する、前記複数の第１の増幅した電流信号の各々に専用の接続手段と
を備えており、
前記第２の増幅手段が前記第１の増幅手段とは離れて位置しており、前記第１の増幅手段が前記複数の第１の増幅した電流信号を電流として供給し、前記接続手段が前記第１の増幅手段の出力で前記第１の増幅した電流信号を受けとり前記第２の増幅手段の入力で前記第１の増幅した電流信号を供給する細長いフレキシブルな導電体を備えていることを特徴とする装置。
【請求項２】
可動の光ピックアップ装置であって、
フォーカシングレンズと、
電流信号を各々が供給する複数の光トランスデューサと、
前記光トランスデューサへ光ビームを向けるための光レンズ組立体と、
前記複数の電流信号が供給され、複数の第１の増幅した電流信号を得るために前記複数の電流信号を増幅する第１の電流−電流増幅手段と、
前記可動の光ピックアップ装置とは離れて位置している第２の増幅手段に前記第１の増幅した電流信号を供給するように、前記第１の電流−電流増幅手段の出力にフレキシブルな細長い導電体を接続するための接続手段と
を少なくとも備えていることを特徴とする装置。
【請求項３】
少なくとも１つの光ビームを用いて光ディスクからデータを少なくとも読み出すことが可能の光ディスクのリーダ及び／又はレコーダであって、
前記光ディスクに前記光ビームを相対的に位置決めするために、前記光ディスクと相対的に動く可動の光ピックアップと、
前記可動の光ピックアップ上に取り付けられており、前記光ディスクから反射された前記光ビームの一部を受けとり複数の電流信号を供給する複数の光トランスデューサと、
前記可動の光ピックアップ上に取り付けられており、複数の第１の増幅した電流信号を得るために前記複数の電流信号を増幅する第１の電流−電流増幅手段と、
前記可動の光ピックアップとは離れて位置している前記光ディスクのリーダ及び／又はレコーダの固定部分上に取り付けられており、電圧信号を得るために前記第１の増幅した電流信号を増幅する第２の増幅手段と、
前記第１の電流−電流増幅手段と前記第２の増幅手段とを接続する、前記複数の第１の増幅した電流信号の各々に専用の接続手段と
を少なくとも備えていることを特徴とするリーダ及び／又はレコーダ。
【請求項４】
矩形状信号を得るために、前記電圧信号を処理する第１の処理手段を更に備えていることを特徴とする請求項３に記載の光ディスクのリーダ及び／又はレコーダ。
【請求項５】
磁気データの読み出し装置及び／又は記録装置であって、更に、複数の電流信号を供給する磁気ヘッドと、請求項１に記載された、前記複数の電流信号を増幅し複数の電圧信号へ変換するための装置とを備えていることを特徴とする装置。
【請求項６】
記録媒体から読み出し及び／又は記録媒体に書き込むための装置であって、
前記記録媒体と相対的に動くピックアップと、
複数の第１の増幅した電流信号を得るために複数の電流信号を増幅する電流−電流増幅手段と、
電圧信号を得るために前記第１の増幅した電流信号を増幅する電流−電圧増幅手段と、
前記電流−電流増幅手段と前記電流−電圧増幅手段とを接続する、前記複数の第１の増幅した電流信号の各々に専用の接続手段と
を備えており、
前記電流−電流増幅手段が前記ピックアップ上に取り付けられており、前記電流−電圧増幅手段が前記ピックアップとは離れて位置している装置の固定部分上に取り付けられており、前記接続手段がフレキシブルな細長い導電体を含んでいることを特徴とする装置。
【請求項７】
矩形状信号を得るために、前記電圧信号を処理する処理手段を更に備えていることを特徴とする請求項６に記載の装置。
【請求項８】
前記記録媒体が光記録媒体／又は磁気記録媒体であることを特徴とする請求項６又は７に記載の装置。
【発明の詳細な説明】
【０００１】
【発明の属する技術分野】
本発明は、その中で電流信号が増幅され且つ処理するために電圧信号へ変換される装置に関する。このような装置は、用途の範囲が広く、例えば、電流を伝えるセンサが処理をモニタし及び／又は周囲の物理的パラメータを測定するために用いられるシステムにおいて見られる。
【０００２】
【従来の技術】
電流を伝える種々のセンサは、物理的パラメータの測定において用途がある。このようなセンサは、例えば、ギャップを含み、磁界が存在する中で動かされるときに電流を伝える、磁気ヘッドである。この電流は磁界に比例する。このようなセンサの他の例は、検出された光子の数に比例する電流を伝える光検出器である。しばしば、このようなセンサによって伝えられた電流は、比較的小さい値である。即ち、電流信号が、センサの近くの源によって出力された電磁放射線からの干渉にさらされやすい。この電磁放射線からの干渉は、測定値の誤りにもたらされる。なぜなら、センサによって伝えられた電流は、測定する物理的パラメータのもはや予測できないものとなる。電流信号の干渉の負の影響を最小にするために、できる限りセンサの近くで電流信号を増幅し、電磁放射線の干渉がクリティカルに少ない増幅信号を得ることは、公知である。
【０００３】
公知の光ディスクプレーヤにおいて、光ディスクは、光ビームを用いてスキャンされ、光ディスクによって反射された光は、複数の光検出器を用いて測定される。光検出器は、光ディスクに相対的に光ビームを位置決めるために、ディスクに相対的に動く可動な光ピックアップに取り付けられる。光検出器は、例えば数μＡの範囲の値を有する電流信号を伝える。これら電流信号は、可動な光ピックアップ内にも含まれているコイルを位置決めることによって生じた電磁界の干渉に妨害されやすい。それゆえ、電流信号は、光検出器の近くで、同じ可動な光ピックアップに取り付けられた増幅器で増幅される。増幅信号は、数ｍＶの範囲の値の電圧である。増幅信号は、数Ｖの範囲の値を有する電圧信号に増幅される更なる増幅器に送られる。更なる増幅器は、可動な光ピックアップと別個であり、フレキシブルな導電体を用いて可動な光ピックアップ上の増幅器に接続される。従って、電圧信号は、光検出器によって伝えられた電流信号を表すものであり、例えば更なるデジタル処理即ちディスクから読み出された信号のデコードのために用いられる。得られた電圧信号が高信頼的に電流信号を表し、この状況において電流及び増幅信号の増幅及び転送で発生するかもしれないエラーの数を最小にすることは、非常に重要である。
【０００４】
増幅器から更なる増幅器への転送中に、増幅信号は、フレキシブルな導電体の間のクロストークのために、互いに相互に干渉する。これは、増幅信号が電圧であるためであり、更なる増幅器の出力で電圧信号の大きいエラーを生じる。
【０００５】
周知の光ディスクプレーヤはエラー訂正方法を用いて作られており、ディスクから読み出されたデコード信号の限定された数のエラーを訂正する。前述のように、第１のエラーの源は、電流及び増幅信号の増幅及び転送のためであるが、フレキシブルな導電体の間のクロストークもまたそうである。第２のエラーの源は、例えば傷、指紋、又はディスク上に信号を記憶するために用いられた層の劣化に関するエージングのように、読み出されるディスク上の影響である。第１及び第２のエラーの源に起因する全てのエラーを訂正する必要があるならば、更なる値は、エラー訂正方法によって取り扱うことができる限定数よりも大きくならないようにしなければならない。より周期的で且つ避けられないエラーの第２の源は光ディスクに影響すると同時に、第１の源はプレーヤの特性に依存する。これら特性は、光ディスクプレーヤの製造者によって左右され、結局、該プレーヤの品質を決める。
【０００６】
前述した増幅器と更なる増幅器とは、それぞれ、電圧増幅器（Ｉ：Ｕ）への電流増幅器と、電圧増幅器（Ｕ：Ｕ）への電圧増幅器とである。例えば演算増幅器のようなこれら増幅器及び更なる増幅器の各々は、演算のために予め決められた電圧ＵＤを用いることができる。即ち、ＵＤは、予め決められた電圧値で増幅信号と電圧信号とをそれぞれ出力するために、リファレンス電圧として用いられる。ＵＤは、接地電位ＵＧ（ＵＧ＝０Ｖとなるべき）に相対的に決定される。該接地電位ＵＧは、光ディスクプレーヤの全ての部分に共通し、各増幅器がそれに接続される。可動な光ピックアップ上に取り付けられた増幅器は、予め決められた抵抗値を有するフレキシブルな導電体を介してグランドに接続される。予め決められた抵抗値の結果は、増幅器の接地電位が更なる増幅器の接地電位と同じではなく、増幅器及び更なる増幅器の両方で同じとなるべきリファレンス電圧ＵＤが変化するということになる。結局、更なる増幅器の出力での電圧信号は、更なる増幅器に与えられた変更されるリファレンス電圧のためにエラーとなる値を有する。前述したように、電圧信号は、更なるデジタル処理のために用いられ、それら値の変化即ちエラー値は、ビットの損失を生じる。このビットの損失は、前に議論された第１のエラーの源の部分である。
【０００７】
【発明が解決しようとする課題】
同様な方法で、光ディスクプレーヤに関する限り、他の装置のセンサ（例えば磁気テーププレーヤ、車又は工業用機器の速度又は工程の監視）から提供する電流信号の処理は、誤り値を生じる。なぜなら、電流信号は、互いに離れた１つ以上の増幅器で増幅され、互いに１つの増幅器から変化する共通接地電位を共有しなければならないからである。
【０００８】
本発明の１つの目的は、前述したようなセンサから提供される電流信号の増幅及び転送に起因する誤り電圧信号の問題を解決することである。
【０００９】
本発明の他の目的は、第１のエラーの源からのエラー数を減らす光ディスクプレーヤ用に提供することである。
【００１０】
【課題を解決するための手段】
本発明は、複数の電流信号を増幅し、該複数の電流信号を複数の電圧信号へ変換するための装置を提供する。該装置は、複数の電流信号を増幅し、複数の第１の増幅信号を得るための第１の増幅手段と、第１の増幅信号を増幅し、電圧信号を得るための第２の増幅手段と、第１の増幅手段及び第２の増幅手段を接続し、第１の増幅手段の出力で第１の増幅信号を受信し且つ第２の増幅手段の入力で第１の増幅信号を伝える細長いフレキシブルな導電体を含む、複数の第１の増幅信号の各々に専用の接続手段とを含む。
【００１１】
本発明は、第１の増幅手段のような電流（Ｉ：Ｉ）増幅器への電流と、第２の増幅手段のようなＩ：Ｕ増幅器への電流とを用いることができる。Ｉ：Ｉ増幅器及びＩ：Ｕ増幅器の間の接地電位の差は、第２の増幅手段の出力での電圧信号の値に影響を及ぼさない。電圧信号の値は、従来よりも少ない誤り率である。
【００１２】
増幅信号が流れることは、接続手段内のクロストークを減らし、更に電圧信号のエラーを減らすことに寄与する。
【００１３】
本発明は、可動な光ピックアップ装置を更に提供する。該装置は、少なくとも、フォーカシングレンズと、電流信号を各々伝える複数の光トランスデューサと、光トランスデューサへ光ビームを向けるための光レンズ組立体と、複数の電流信号が与えられ、複数の第１の増幅信号を与えるために複数の電流信号を増幅する電流増幅手段への第１の電流と、可動な光ピックアップ装置と別個の第２の増幅手段が第１の増幅信号を提供するように、フレキシブルな細長い導電体を有する電流増幅手段と第１の電流の出力とを接続するための接続手段とを含む。
【００１４】
本発明は、光ディスクリーダ及び／又はレコーダを更に提供する。該リーダ及び／又はレコーダは、少なくとも１つの光ビームを用いて光ディスクからデータを少なくとも読み出すことができ、光ディスクに相対的に光ビームを位置決めるために、光ディスクに相対的に動く、少なくとも１つの可動な光ピックアップを含む。複数の光トランスデューサは、可動な光ピックアップ上に取り付けられ、光ディスクから反射された光ビームの一部を受信し、複数の電流信号を伝える。可動な光ピックアップ上に取り付けられた電流増幅手段への第１の電流は、複数の第１の増幅信号を得るために複数の電流信号を増幅する。可動光ピックアップと別個の光ディスクリーダ及び／又はレコーダの固定部分に取り付けられた第２の増幅手段は、電圧信号を得るために第１の増幅信号を増幅する。光ディスクリーダ及び／又はレコーダは、更に、複数の第１の増幅信号の各々に専用で、第１の増幅手段と第２の増幅手段とを接続する接続手段を含む。
【００１５】
これゆえ、本発明による光ディスクリーダ及び／若しくはレコーダ、又は本発明によるピックアップ装置を用いる装置は、電圧信号のエラーの数をかなり減少させることができ、一般的なエラー訂正方法が従来以上に傷のあるディスクから提供される多数のエラーを訂正することができるために、傷のあるディスクから読み出すことが可能となる。もちろん、訂正可能なエラーの数は、エラー訂正方法によって訂正可能な限定数を越えない。
【００１６】
本発明は、更に、磁気データの読み出し装置及び／又は記録装置を有する前述の目的を達成する。該装置は、複数の電流信号を伝える少なくとも１つの磁気ヘッドと、複数の電流信号を増幅し、電流として第１の増幅信号を得るための第１の増幅手段とを含む。装置は、更に、第１の増幅信号を増幅し且つ電圧信号を得るための第２の増幅手段と、第１の増幅手段と第２の増幅手段とを接続し、第１の増幅手段の出力で第１の増幅信号を受信し且つ第２の増幅手段の入力で第１の増幅信号を伝える細長いフレキシブルな導電体を含む、複数の第１の増幅信号の各々に専用の接続手段とを含む。
【００１７】
磁気データの読み出し及び／又は記録装置は、例えば磁気ハードディスク又は磁気テープ装置であってもよい。本発明は、データがデジタル的にこのような装置内に記憶された際に、読み出しエラーの数を減少させるという特別な効果がある。
【００１８】
【発明の実施の形態】
以下では、特許請求の範囲に記載された発明の理解を助け、図面を参照して本発明の少なくとも１つの実施形態を説明する。
【００１９】
本発明を実行する記載された実施形態は、例としてのみであり、本発明を限定するものではないと解釈される。記載された装置の他の実施形態は、当業者によればうまく実現でき、そして特許請求の範囲の発明の見地の中にある。
【００２０】
図１に表された装置は、電流信号Ｉ１、Ｉ２、…、ＩＮを電圧信号Ｖ１、Ｖ２、…、ＶＬに増幅するために用いられる。Ｉ：Ｉ即ち電流増幅器１への電流は、第１の増幅信号即ち増幅された電流ＩＦ１、ＩＦ２、…、ＩＦＭを得るために、電流信号Ｉ１、Ｉ２、…、ＩＮを増幅する。Ｉ：Ｕ即ち電圧増幅器２への電流の入力接続部は、接続手段３によってＩ：Ｉ増幅器１の出力接続部に接続される。Ｉ：Ｕ増幅器２は、電流ＩＦ１、ＩＦ２、…、ＩＦＭを増幅し、増幅された電流ＩＦ１、ＩＦ２、…、ＩＦＭを電圧信号Ｖ１、Ｖ２、…、ＶＬに変換する。
【００２１】
図１の一部分に表されたＩ：Ｉ増幅器１が、例えば各電流信号Ｉ１、Ｉ２、…、ＩＮに対して１つある、複数のＩ：Ｉ増幅器を実際に含むことがわかる。同じ方法で、図１の一部分を用いて表されたＩ：Ｕ増幅器２は、実際に複数のＩ：Ｕ増幅器を含む。
【００２２】
接続手段３は、細長い導電体であるのが好ましい。
【００２３】
Ｉ：Ｉ及びＩ：Ｕ増幅器は、図１に表されていない少なくとも１つの電源によって動かされる。Ｉ：Ｉ及びＩ：Ｕ増幅器は、接地接続部４及び５を介してグランドに接続される。接地電位の実際の値が両方の接続部４及び５で同じであるならば、図１に表された装置については関係ない。より正確には、接続部４での接地電位が接続５での接地電位と異なるならば、これは、増幅電流ＩＦ１、ＩＦ２、…、ＩＦＭの値に影響を及ぼさない。その結果、電圧信号Ｖ１、Ｖ２、…、ＶＬが電流信号Ｉ１、Ｉ２、ＩＮに対して固定された関係に維持される。即ち、それらは、従来の連続的なＩ：Ｕ及びＵ：Ｕ増幅に影響を及ぼす、接続部４及び５の間の接地電位の差によって影響されない。
【００２４】
Ｖ１、Ｖ２、…、ＶＬは、デジタル処理に用いられるのが好ましく、即ち、それらは矩形信号に変換されなければならない。一般に、電圧信号から矩形信号への変換は、コンバータ（図１に表されていない）内で実行される。該コンバータは、電圧信号の値がスレッショルドよりも低いときに電圧ＶＮＵＬＬを出力し、電圧信号が所定のスレッショルドよりも高いときに電圧ＶＯＮＥを出力する。得られたＶＮＵＬＬ及びＶＯＮＥの長さは、例えばそれぞれ多数のデジタル０及び１である矩形信号表現に分割される。
【００２５】
Ｖ１、Ｖ２、…、ＶＬは、互いに組み合わされてもよく、例えば図１に表されていないが増幅器２に係合する装置を用いて加減算される。Ｉ１、Ｉ２、…、ＩＮは、図１に表されていないセンサから提供される電流信号の加算又は減算の結果となる。
【００２６】
図２は、回転軸７の周りで回る光ディスク６を表す。図２の全ての部品は、光ディスクリーダ及び／又はレコーダ（図示なし）内に備えられる。可動な光ピックアップ８は、表されていないアクチベーティング及びガイド手段を用いて、半径９に対応する軸に沿って、光ディスク６の表面上でアクチベートされるのが好ましい。従来の周知技術として、可動な光ピックアップ８は、少なくとも１つのフォーカシングレンズ（図示なし）と、光ディスクによって反射された光を測定するための光検出器（図示なし）と、反射された光ビームを光検出器に向けるための光レンズ組立体（図示なし）とを含む。これら光検出器は、例えばＩ１、Ｉ２、…、ＩＮのような電流信号を伝える光トランスデューサである。可動な光ピックアップ８は、また、電流信号を例えばＩＦ１、ＩＦ２、…、ＩＦＭである増幅電流に増幅するＩ：Ｉ増幅器１（図２に表されていない）を含む。可動な光ピックアップ８と別個のＩ：Ｕ増幅器２（図示なし）は、例えば光ディスクプレーヤ（図示なし）のプリント回路基板１０に取り付けられるのが好ましい。
【００２７】
可動な光ピックアップ８は、フレキシブルバンド１１を用いてＩ：Ｕに接続される。この方法の可動な光ピックアップは、光ディスクプレーヤの固定部分から独立して動くことができ、それに電気的に接続され続ける。フレキシブルバンド１１は、一般に近接し且つ互いに平行となる多数の細長い導電体を支持する。他の目的の中でのフレキシブルな導電体は、更にＩ：Ｉ増幅器を供給することが可能となり、電源を有する可動なに光ピックアップ８上の他の装置とグランドとが接触する。フレキシブル導電体は増幅電流ＩＦ１、ＩＦ２、…、ＩＦ３をＩ：Ｕ増幅器へ与える。光検出器によって伝えられたこの方法の比較的弱い電流信号は、エラーを最小に処理し又はより正確に電流信号を表すために、増幅され、光ディスクリーダ及び／又はレコーダの固定回路に転送される。
【図面の簡単な説明】
【図１】本発明による増幅及び変換のための装置の概略的な構成図である。
【図２】本発明による光ディスクリーダ及び／又はレコーダの概略的な斜視図である。
【符号の説明】
１  電流増幅器
２  電圧増幅器
３  接続手段
４、５  接地接続
６  光ディスク
７  回転軸
８  可動な光ピックアップ
９  半径
１０  回路基板
１１  フレキシブルバンド
【図１】
0004403601.tif 000002
【図２】
0004403601.tif 000003